(57)【要約】【課題】効率的な電荷回収を行い、低消費電力化を実現する表示制御装置の提供。【解決手段】前ラインと現ラインの色データを保持するラッチ回路１０１、１０２と、前ラインの極性信号を保持するラッチ回路１０３と、前ラインと現ラインの色データ、極性信号と回収クロックから、回収スイッチ１１０を制御する回収制御回路１０９を備え、フレーム毎にコモン反転する駆動法、及び、ライン毎にコモン反転する駆動法のいずれの場合にも、効率的な電荷回収を行い低消費電力化を実現する。【選択図】図１
2008015038.tif 000002
【特許請求の範囲】
【請求項１】
表示パネルの画素にデータを駆動出力するバッファの出力ノードと、電荷回収用の容量との接続・非接続を制御する回収スイッチと、
前ラインと現ラインに関する、データ及び極性信号に基づき、前記回収スイッチをオン・オフ制御する手段と、
を備えている、ことを特徴とする表示制御装置。
【請求項２】
制御信号によってオン・オフ制御され、オンのとき、ソースラインを回収容量に接続する回収スイッチと、
前ラインのデータと現ラインのデータ、及び、前ラインの極性信号を保持する回路と、
前ラインのデータと現ラインのデータ、前ラインの極性信号と現ラインの極性信号、及び、回収クロックの値の組み合わせに基づき、前記回収スイッチのオン・オフを制御する前記制御信号を生成出力する回収制御回路と、
を備えたことを特徴とする表示制御装置。
【請求項３】
前記回収制御回路は、前記前データと前記現データの変化の判定を、データの上位ビットを用いて判定する、ことを特徴とする請求項２記載の表示制御装置。
【請求項４】
前記前データと前記現データは、ＲＧＢの各色１ビットデータである、ことを特徴とする請求項２記載の表示制御装置。
【請求項５】
前記回収制御回路は、前記前データと前記現データの変化の判定を、１ビットデータを用いて判定する、ことを特徴とする請求項４記載の表示制御装置。
【請求項６】
表示パネルの共通電極を駆動するバッファの出力と、前記回収容量との接続を、入力される別の回収クロックに基づき、オン・オフ制御する、別の回収スイッチをさらに備えている、ことを特徴とする請求項２記載の表示制御装置。
【請求項７】
前記ソースラインを駆動するソースバッファは、前記回収制御回路からの制御信号に基づき、前記回収スイッチがオンのとき、出力がハイインピーダンス状態とされ、前記回収スイッチがオフのとき、出力イネーブル状態とされる、トライステート・バッファを含む、ことを特徴とする請求項２記載の表示制御装置。
【請求項８】
前記回収制御回路が、前ラインのデータと現ラインのデータを入力し、前ラインのデータと現ラインのデータの、一致、不一致に応じて、第１、第２の値をそれぞれ出力する第１の論理回路と、
前ラインの極性信号と現ラインの極性信号を入力し、前ラインの極性信号と現ラインの極性信号の一致、不一致に応じて、第１、第２の値をそれぞれ出力する第２の論理回路と、
前記第１の論理回路の出力と前記第２の論理回路の出力を入力し、前記第１の論理回路の出力と前記第２の論理回路の出力の一致、不一致に応じて、第１、第２の値をそれぞれ出力する第３の論理回路と、
前記回数クロックと、前記第３の論理回路の出力とを受け、前記第３の論理回路の出力が第２の値のとき、前記回数クロックを前記制御信号として出力する、ことを特徴とする請求項２又は５記載の表示制御装置。
【請求項９】
請求項１又は２記載の前記表示制御装置と表示パネルを備えた表示装置。
【請求項１０】
請求項９記載の前記表示装置を備えた携帯端末。
【請求項１１】
前ラインと現ラインに関する、データ及び極性信号に基づき、表示パネルにデータを駆動出力するバッファの出力ノードと、電荷回収用の容量との接続をオン・オフ制御する、ことを特徴とする表示装置の駆動制御方法。
【請求項１２】
ソースラインを回収容量に接続する回収スイッチを備えた表示装置の駆動制御方法であって、
前ラインのデータと現ラインのデータを保持するとともに、前ラインの極性信号を保持し、
前ラインと現ラインのデータと、前ラインと現ラインの極性信号の値の組み合わせに基づき、回収クロックに応答して、前記回収スイッチのオン・オフを制御する、ことを特徴とする駆動制御方法。
【請求項１３】
前記前データと前記現データの変化の判定を、データの上位ビットを用いて判定する、ことを特徴とする請求項１１記載の駆動制御方法。
【請求項１４】
前記前データと前記現データは、ＲＧＢの各色１ビットデータである、ことを特徴とする請求項１１記載の駆動制御方法。
【発明の詳細な説明】
【技術分野】
【０００１】
本発明は表示制御回路とその駆動制御方法に関する。
【背景技術】
【０００２】
携帯電話端末等、モバイル用の表示装置駆動ＩＣは、超低消費電力が要求されている。モバイル用表示装置では、実使用時、待機時間（待ち受けモード）がほとんどを占め、待機時間での低消費電力化の要求は厳しい。
【０００３】
また、モバイル用表示装置において、待機時間では、フルカラー（ＲＧＢ：全階調表示）ではなく、８色での表示方法（ＲＧＢ各１ビットデータによる表示）が主流である。８色での表示の場合、ソース線を駆動するソースドライバは、アナログバッファではなく、ＲＧＢ各色データについて１ビットデータに基づきソースラインを駆動するインバータを用いたバッファ（正転バッファの場合、インバータ２段構成）が用いられる。
【０００４】
なお、表示装置の消費電力の低減を図る構成として、特許文献１には、ソースドライバ（ソース駆動部）と液晶パネルとの間に接続され、ソースラインの接続時、共通電極よりも高い電圧を有していたソースラインの電荷を回収し、共通電極よりも低い電圧を有していたソースラインに電荷を供給する回収容量（外部キャパシタ）を備え、既存の電荷の再活用を用いた駆動方式により、消費電力の低減効率をさらに高めた多段階電荷再活用を用いたＴＦＴ−ＬＣＤ及びその駆動方法が開示されている。
【０００５】
図１０は、特許文献１に記載された発明の構成を示す図である。なお、本願では、説明を分かりやすくするため、特許文献１の図面を書き直している。図１０を参照すると、待機時に用いられる８色での表示において（ＲＧＢ：例えば１ビットデータによる２値）、ソース線を駆動するソースバッファ（ソースドライバ）１０８は、アナログバッファではなく、ＲＧＢ各色データについて１ビットデータに基づきソースラインを駆動するトライステート・バッファが用いられる。より詳細には、ソースバッファ１０８は、初段のインバータと、回収クロック１０５により出力イネーブル／ディスエーブルが制御されるインバータよりなるトライステート・バッファとして構成されており、回収クロック１０５がオン（例えばＨＩＧＨレベル）のとき、ソースバッファ１０８の出力はＨＩ−Ｚ（ハイインピーダンス状態）、回収スイッチ１１０はオンとなり、ソースラインの電荷が回収容量１１２に蓄積される。次に、回収クロック１０５がオフ（例えばＬＯＷレベル）して、回収スイッチ１１０をオフさせ、ソースバッファ１０８を出力イネーブル状態とし、ソースバッファ１０８からソースラインの充電を行う。なお、図１０において、パッド１１３から上側が、表示制御装置（「表示制御ドライバ」あるいは「コントローラＩＣ」ともいう）に対応し、パッド１１３から下側が、表示パネル（ＬＣＤパネル）に対応し、表示パネルの各ソースラインに接続する容量は、画素容量を等価回路で表している。なお、ソースドライバ（ソースバッファ）、ソースラインは、それぞれ、データドライバ、データ線とも呼ばれる。
【０００６】
また特許文献２には、例えば図１１に示すように（なお、図１１は、説明を分かりやすくするため、特許文献２の図面を書き直している）、ＣＯＭバッファ１１８を備え、回収スイッチ１１９をオンすることで、ＣＯＭバッファ１１８の出力（共通電極）、回収容量に回収できるようにしている。図１１の構成の場合、各ソースラインＳ１、Ｓ２、Ｓ３と共通電極（ＣＯＭＭＯＮ電極）とが同時に回収される。なお、図１１に示す例では、回収電荷を蓄積する容量は、パッド１２０が接続する共通電極の容量が用いられる。
【０００７】
さらに、特許文献３には、例えば図１２に示すように、現ラインの色データを保持する現ラインデータラッチ回路と、前ラインの色データを保持する前ラインデータラッチ回路と、前ラインの色データと現ラインの色データと回収クロックから回収スイッチを制御する切替制御部を備えている。ソースラインＳ１についてみると、切替制御部５４１は、現ラインと前ラインデータラッチ回路５５１、４５１の出力が異なる場合にだけ、前ラインデータラッチ回路４５１からの出力に応じて、高圧用スイッチ（トランスファゲート）４１１、低圧用スイッチ（トランスファゲート）４２１の一方をオンし、ついで、現ラインデータラッチ回路５５１からの転送による前データラッチの出力に応じて他方をオンし、ソースラインＳ１を高電圧容量素子（高圧用回収容量）４３１又は低電圧容量素子（低圧用回収容量）４３２に接続する。相前後して印加電圧が変化するソースラインでは、有効に電荷の蓄積、供給が行われ、消費電力が低減されるとともに、印加電圧が変化しないソースラインでは、保持電圧が変化せず、次に電圧が印加されたとき、電力の消費がない。
【０００８】
図１３は、図１２に示した構成の動作を説明するためのタイミング図である。Ｎライン目表示のとき、画素スイッチ用制御信号が活性化され、表示制御装置のソースラインと表示パネル側のソースラインとが導通し、前ラインデータラッチ４５１の出力が”０”、現ラインデータラッチ５５１の出力が”１”のソースラインＳ１は、回収クロックのＨＩＧＨにより、低圧用回収容量４３２と接続され、つづいて高圧用回収容量４３１と接続され、Ｄ／Ａコンバータ３１１による電圧Ｃの書き込みが行われる。ソースラインＳ２は、前ラインデータラッチ４５２の出力が”１”、現ラインデータラッチ５５２の出力が”０”の場合、回収クロックのＨＩＧＨにより、高圧用回収容量４３１と接続され、つづいて低圧用回収容量４３２と接続され、Ｄ／Ａコンバータ３１２による電圧Ｃの書き込みが行われ、Ｎ＋１ラインでは、ソースラインＳ１は高電圧から低電圧、ソースラインＳ２は低電圧から高電圧と、Ｎラインと互いに逆の駆動動作となる。このように、前ライン、現ラインの色のデータから、回収を行うか否かを判断して回収動作を制御する。
【０００９】
【特許文献１】特開２００１−２２３２９号公報
【特許文献２】特開２００２−２４４６２２号公報
【特許文献３】特開２００３−２７１１０５号公報
【発明の開示】
【発明が解決しようとする課題】
【００１０】
上記した従来の技術においては、コモン反転駆動を行わない場合、あるいは、フレーム毎にコモン反転駆動を行う場合には、電荷回収に関して、所望の回収効率を得ることはできる。しかしながら、上記した従来の技術において、ライン毎にコモン反転駆動を行う際に、データのみで判断する手法では、データに依存して、電流が増えることがある。つまり、駆動方法の如何によっては、回収効果が期待できない、という課題がある。
【課題を解決するための手段】
【００１１】
本願で開示される発明は、前記課題を解決するため、概略以下の構成とされる。
【００１２】
本発明の１つのアスペクト（側面）に係る装置は、表示パネルの画素にデータを出力するバッファ（ドライバ）の出力ノードと、電荷回収用の容量との接続・非接続を制御する回収スイッチと、前ラインと現ラインに関する、データ及び極性信号に基づき、前記回収スイッチをオン・オフ制御する手段と、を備えている。
【００１３】
本発明に係る装置においては、制御信号によってオン・オフ制御され、オンのとき、ソースラインを回収容量に接続する回収スイッチと、前ラインのデータと現ラインのデータ、及び、前ラインの極性信号を保持する回路と、前ラインのデータと現ラインのデータ、前ラインの極性信号と現ラインの極性信号、及び、回収クロックの値の組み合わせに基づき、前記回収スイッチのオン・オフを制御する前記制御信号を生成出力する回収制御回路と、を備えている。
【００１４】
本発明においては、前記回収制御回路は、前記前データと前記現データの変化の判定を、データの上位ビットを用いて判定する。
【００１５】
本発明においては、前記前データと前記現データは、ＲＧＢの各色１ビットデータである。
【００１６】
本発明においては、前記回収制御回路は、前記前データと前記現データの変化の判定を、１ビットデータを用いて判定する。
【００１７】
本発明においては、表示パネルの共通電極を駆動するバッファの出力と、前記回収容量との接続を、入力される別の回収クロックに基づき、オン・オフ制御する、別の回収スイッチをさらに備えた構成としてもよい。
【００１８】
本発明においては、前記ソースラインを駆動するソースバッファは、前記回収制御回路からの制御信号に基づき、前記回収スイッチがオンのとき、出力がハイインピーダンス状態とされ、前記回収スイッチがオフのとき、出力イネーブル状態とされる、トライステート・バッファを含む。
【００１９】
本発明においては、前記回収制御回路が、前ラインのデータと現ラインのデータを入力し、前ラインのデータと現ラインが一致、不一致の場合、第１、第２の値を出力する第１の論理回路と、前ラインの極性信号と現ラインの極性信号を入力し、前ラインの極性信号と現ラインの極性信号が一致、不一致の場合、第１、第２の値を出力する第２の論理回路と、前記第１論理回路の出力と前記第２の論理回路の出力を入力し、前記第１論理回路の出力と前記第２の論理回路の出力が一致、不一致の場合、第１、第２の値を出力する第３の論理回路と、前記回数クロックと、前記第３の論理回路の出力を受け、前記第３の論理回路の出力が第２の値のとき、前記回数クロックを前記制御信号として出力する。
【００２０】
本発明の他のアスペクト（側面）に係る駆動制御方法は、前ラインと現ラインに関する、データ及び極性信号に基づき、ドライバの出力ノードと電荷回収用の容量との接続をオン・オフ制御する。
【００２１】
本発明に係る方法は、表示パネルの画素に接続するソースラインと回収容量の接続を制御する回収スイッチを備え、前記回収スイッチをオン・オフ制御して前記データ線の電荷の回収動作を行う駆動制御方法であって、
前ラインのデータと現ラインのデータを保持するとともに、前ラインの極性信号を保持し、前ラインと現ラインのデータと、前ラインと現ラインの極性信号の値の組み合わせに基づき、回収クロックに応答して、回収スイッチのオン・オフを制御する。
【発明の効果】
【００２２】
本発明によれば、効率的な電荷回収を行い、低消費電力化を実現することができる。本発明によれば、駆動方法によらず、効率的な電荷回収を行うことができる。
【００２３】
本発明を携帯端末の表示装置に適用することで、待機時における低消費電力化に貢献する。
【発明を実施するための最良の形態】
【００２４】
前記した本発明についてさらに詳細に説述すべく、添付図面を参照して以下に説明する。本発明は、前ラインと現ラインの色データを保持するラッチ回路（１０１、１０２）と、前ラインの極性信号を保持するラッチ回路（１０３）と、前ラインと現ラインの色データ、極性信号と回収クロックとに基づき、回収スイッチ（１１０）を制御する回収制御回路（１０９）を備え、ライン毎のデータの変化、及び極性信号に基づき、電荷回収動作を制御することで、フレーム毎にコモン反転する駆動、ライン毎にコモン反転する駆動のいずれの場合にも、効率的な電荷回収を行い、低消費電力化を実現することができる。以下実施例に即して説明する。
【実施例】
【００２５】
図１は、本発明の一実施例の構成を示す図である。図１を参照すると、本実施例は、前ラインのデータをラッチする前ラインデータラッチ１０１と、現ラインのデータをラッチする現ラインデータラッチ１０２と、前ラインの極性信号をラッチする前ライン極性信号ラッチ１０３と、現ラインデータラッチ１０２のＲ用ラッチ、Ｇ用ラッチ、Ｂ用ラッチを切替出力する切替スイッチ１０６と、切替スイッチ１０６の出力をデコードするデコーダ１０７と、デコーダ１０７の出力（１ビットデータ）を受けるソースバッファ（ソースドライバ）１０８と、前ラインと現ラインの色データ、前ラインと現ラインの極性信号１０４と、回収クロック１０５から、回収スイッチ１１０のオン・オフを制御する制御信号１１１を出力する回収制御回路１０９と、回収容量１１２とを備え、回収スイッチ１１０は、一端が回収容量１１２に接続され、他端は、各ソースライン（ソースバッファ１０８の出力）に共通接続されている。
【００２６】
なお、図１において、パッド１１３から上側は、ソースドライバを含む表示制御装置（コントローラＩＣ）を表しており、パッド１１３から下側は、表示パネルに対応する。信号ＲセレクタＳｉｇ、ＧセレクタＳｉｇ、ＢセレクタＳｉｇは、表示制御装置側から供給され、スイッチ１１４、１１５、１１６をそれぞれオンさせ、表示制御装置側のソースラインを、表示パネル側のＲ、Ｇ、Ｂのソースラインに接続する。不図示のゲートドライバで選択されたラインの画素スイッチ（ＴＦＴ）がオンし、Ｒ、Ｇ、Ｂのソースラインのデータ信号が画素電極に印加される。
【００２７】
待機時に用いられる８色での表示において（ＲＧＢ：例えば１ビットデータによる２値）、ソース線を駆動するソースバッファ（ソースドライバ）１０８には、ＲＧＢ各色データについて１ビットデータに基づきソースラインを駆動するトライステート・バッファが用いられる。すなわち、ソースバッファ１０８は、図１０に示した構成と同様とされ、デコーダ回路１０７からの２値信号を受けるインバータとトライステート型インバータの２段構成とされる。ただし、本実施例においては、トライステート型インバータは、図１０のように、回収クロックにより直接、出力イネーブルと出力ディスエーブル（出力がＨＩ−Ｚ状態）が制御されるのではなく、回収制御回路１０９からの制御信号１１１をインバータで反転した信号により、出力イネーブルと出力ディスエーブルが制御される。そして、回収スイッチ１１０のオン・オフを制御する回収制御回路１０９からの制御信号１１１により、回収スイッチ１１０がオンのとき、トライステート型バッファはオフし（出力はＨＩ−Ｚ状態）となり、回収スイッチ１０がオフのとき、トライステート型インバータはオンする（出力イネーブル状態）。
【００２８】
図２と図３は、図１に示した本実施例の動作を説明するタイミングチャートである。
【００２９】
前極性信号＝ＬＯＷ、  パネル出力Ｓｉｇ＝ＬＯＷ、  白表示（データ＝１）、
現極性信号＝ＬＯＷ、  パネル出力Ｓｉｇ＝ＨＩＧＨ、黒表示（データ＝０）、
前極性信号＝ＨＩＧＨ、パネル出力Ｓｉｇ＝ＬＯＷ、  黒表示（データ＝０）、
現極性信号＝ＨＩＧＨ、パネル出力Ｓｉｇ＝ＨＩＧＨ、白表示（データ＝１）、
の場合を考える。なお、パネル出力Ｓｉｇは、ソースバッファ１０８から出力される信号（パッド１１３の信号）である。
【００３０】
図２は、フレーム毎に、コモン反転駆動を行う場合である。
【００３１】
＜白から黒へ変化する場合＞
図２に示すように、パネル出力Ｓｉｇ１（Ｒ）は、Ｎライン目からＮ＋１ライン目に移行する際に、色が白から黒に移行する。その際、Ｒのデータラインの充電動作が必要となる。このため、Ｎ＋１ラインにおいて、ＲセレクタＳｉｇがオンの時（スイッチ１１４がオン時）に、一旦、回収スイッチ１（１１０）をオンして、ソースラインＳ１を、回収容量１１２に接続し、パネル負荷を回収容量から充電する（図２のパネル出力Ｓｉｇ１の「回収を行う」参照）。ＲセレクタＳｉｇがオン時に、つづいて、回収制御回路１０９からの制御信号１１１により、回収スイッチ１（１１０）をオフし、ソースバッファ１０８から、充電を行う。なお、回収スイッチ１（１１０）がオンの期間中、ソースラインＳ１のソースバッファ１０８の出力はＨｉ−Ｚ状態とされる。
【００３２】
＜白から白、黒から黒へ変化が無い場合＞
例えば、パネル出力Ｓｉｇ２（Ｒ）は、Ｎライン目からＮ＋１ライン目に移行する際には、黒から黒となり、出力電圧の変化が無いため、充電・放電動作を必要としない。このため、本実施例では、回収動作は行われない。
【００３３】
＜黒から白へ変化する場合＞
例えば、パネル出力Ｓｉｇ２（Ｇ）は、Ｎライン目からＮ＋１ライン目に移行する際に、色が黒から白に移行する。その際、放電動作が必要となる。このため、一旦、回収スイッチ２（１１０）をオンし、ソースバッファ１０８の出力を回収容量１１２に接続し、ソースラインＳ２（パネル負荷）から回収容量１１２に充電する。次に、回収制御回路１０９からの制御信号１１１により、回収スイッチ２（１１０）をオフし、ソースバッファ１０８をオンさせ、ソースバッファ１０８から放電を行う。なお、回収スイッチ２（１１０）がオンの期間中、ソースラインＳ２のソースバッファ１０８の出力はＨｉ−Ｚ状態となる。
【００３４】
上記の通り、本実施例においては、ラインが変化しても、極性が変化せず（極性信号の値が変化しない）、フレーム毎に、コモン反転駆動するような駆動方法では、白（データ＝１）から黒（データ＝０）や、黒（データ＝０）から白（データ＝１）に変化する場合にのみ、回収スイッチをオンすることで、効率よく回収動作を行うことができる。
【００３５】
次に、図３を参照して、ライン毎にコモン反転駆動を行う場合を説明する。
【００３６】
＜白から白へ変化が無い場合＞
例えば、パネル出力Ｓｉｇ１（Ｒ）は、Ｎライン目からＮ＋１ライン目に移行する際に、色が白から白に移行する。Ｎライン目とＮ＋１ライン目では極性が反転するため、ソースラインＳ１の充電動作が必要となる。このため、一旦、回収スイッチ１（１１０）をオンし、ソースラインＳ１を回収容量１１２に接続し、ソースラインＳ１（表示パネル負荷）を回収容量１１２から充電する。次に、回収制御回路１０９からの制御信号１１１により、回収スイッチ１（１１０）をオフし、ソースバッファ１０８からソースラインＳ１の充電を行う。なお、回収スイッチ１（１１０）がオンの期間、ソースラインＳ１のソースバッファ１０８の出力はＨｉ−Ｚ状態となる。
【００３７】
＜白から黒、黒から白へ変化がある場合＞
例えば、パネル出力Ｓｉｇ２（Ｒ）は、Ｎライン目からＮ＋１ライン目に移行する際には、黒から白となり、出力電圧の変化が無いため、ソースラインＳ２の充電・放電動作を必要としない。そのため、回収動作を行わない。
【００３８】
＜黒から黒へ変化が無い場合＞
例えば、パネル出力Ｓｉｇ２（Ｇ）は、Ｎライン目からＮ＋１ライン目に移行する際に、色が黒から黒に移行する。その際、ソースラインＳ２の放電動作が必要となる。このため、一度、回収スイッチ２（１１０）をオンし、回収容量に接続し、ソースラインＳ２（パネル負荷）から回収容量１１２に充電する。次に、回収制御回路１０９からの制御信号１１１により、回収スイッチ２（１１０）をオフし、ソースバッファ１０８からソースラインＳ２の放電を行う。なお、回収スイッチがオンの期間中、ソースラインＳ２のソースバッファ１０８の出力はＨｉ−Ｚ状態となる。
【００３９】
以上のことから、ライン毎にコモン反転駆動するような駆動方法では、
白（データ＝１）から白（データ＝１）や、
黒（データ＝０）から黒（データ＝０）
のように、色データの変化が無い場合にのみ、回収スイッチ１１０をオンすることで、効率よく、回収動作を行うことができる。
【００４０】
図９は、図１の回収制御回路１０９の構成の一例を示す図である。前ライン極性信号と現ライン極性信号の排他的論理和（Ｅｘｃｌｕｓｉｖｅ  ＯＲ）をとるＥＸＯＲ１と、前ラインデータと現ラインデータの排他的論理和をとるＥＸＯＲ２と、ＥＸＯＲ１の出力とＥＸＯＲ２の出力の排他的論理和をとるＥＸＯＲ３と、回収クロックと排他的論理和回路ＥＸＯＲ３の出力の論理積を回収スイッチ制御信号（図１の１１１）として出力するＡＮＤ回路を備えている。前ライン極性信号と現ライン極性信号が不一致の場合、前ラインデータと現ラインデータが一致の場合、回収クロックで回収スイッチ制御信号がＨＩＧＨレベルとされ、前ライン極性信号と現ライン極性信号が一致の場合、前ラインデータと現ラインデータが不一致の場合、回収クロックで回収スイッチ制御信号がＨＩＧＨレベルとされる。
【００４１】
図４（Ａ）、図４（Ｂ）は、本発明と従来技術（特許文献１、２）の作用効果を対比して説明するための図である。図４（Ａ）、図４（Ｂ）の各々において、左半分がボーダー表示、右上半分が白のベタ表示、右下半分が黒のベタ表示とする。フレーム毎にコモン反転駆動する駆動方法による。
【００４２】
図４（Ａ）は、本発明のＬＣＤ画面に対応し、データの変化に応じた回収動作を行うことができる。極性信号と、データ(色データ)の変化から回収動作の有無を判断しており、色変化に最適な電荷回収動作を行うことができる。
【００４３】
図４（Ｂ）の従来の技術の場合、ライン毎に必ず、回収を行っている。このため、左半分がボーダー表示の場合、最適な回収動作となっているが、右半分では、本来回収すべきではない（色の変化が無い）画素でも、回収を行っている。ソース電圧の変化する必要のない場合でも回収を行っているため、余分な電流を消費することになる。このため、回収効率も低下する。
【００４４】
図４では、フレーム反転の場合について示されているが、ライン反転でも、同様のことがいえる。
【００４５】
図５（Ａ）、図５（Ｂ）は、本発明と従来技術（特許文献３）の作用効果を対比して説明するための図であり、フレーム毎にコモン反転する駆動方法による。本発明の例を示す図５（Ａ）、従来技術の例を示す図５（Ｂ）とも、データの変化に応じた回収動作を行っている。しかしながら、本発明は、以下の点で、従来技術（特許文献３）よりも効率化を推し進めている。
【００４６】
本発明によれば、従来技術よりも、外付けコンデンサと接続（回収）する回数が少ない（本発明、１回、特許文献３では２回）。このため、本発明によれば、複数回書き込みを行う場合に有利である。例えば、３回の書き込みの場合、本発明では、１×３＝３回、特許文献３では、２×３＝６回となる。
【００４７】
フレーム反転以外では、特許文献３はその作用効果を奏し得ない。これに対して、本発明は、ライン反転時の回収の効率化を達成する。以下に説明する。
【００４８】
図６（Ａ）、図６（Ｂ）は、本発明と、従来技術（特許文献３）の作用効果を対比して説明するための図であり、ライン毎にコモン反転する駆動方法による。本発明の例示した図６（Ａ）では、極性信号とデータ変化に応じた回収動作を行うことができる。従来技術（特許文献３）を例示した図６（Ｂ）では、データ変化に応じた回収動作を行うが、極性信号を考慮していないため、左半分がボーダー表示の場合、ラインごとに回収を行っており、最適な回収動作となっていず、電流増加を招く。
【００４９】
左半分がボーダー表示、右上半分が白のベタ表示、右下半分が黒ベタ表示とする。ライン毎にコモン反転駆動する場合、１画面内で色の変化しない場合にのみ回収動作を行う必要がある。その理由は、ライン毎に色の変化があっても、ラインの極性も変化し、そのためデータ線の電圧を変化させる必要がないためである。本発明によれば、極性信号と色データから回収動作の有無を判断するため、色変化に最適な回収動作を行うことができる。
【００５０】
図６（Ｂ）の特許文献３の場合、図６（Ａ）の本発明とは全く逆の動作となっている。これは、ライン毎に反転する極性信号を考慮していないためである。このため電荷回収による電流低減効果を実現することはできず、余分な電流が流れ、消費電流の増加を招く。特許文献３の場合、フレーム毎にコモン反転する駆動方法や、コモン反転駆動を行わない方法には適用可能であるが、ライン毎にコモン反転する駆動方法には適さない。
【００５１】
これに対して、本発明は、駆動方法がなんであるかによらず、全ての駆動方法に対して最適な回収動作を実現することができる。
【００５２】
次に、本発明の別の実施例を説明する。図７は、本発明の別の実施例の構成を示す図であり、ＣＯＭバッファを含めた回路構成が示されている。
【００５３】
表示制御ドライバでは、ソース出力の他に、ＣＯＭバッファ１１８も搭載していることが多い。本実施例によれば、ＣＯＭ用の回収クロック１０５Ｂにより、回収スイッチ４（１１９）をオンすることで、ＣＯＭ出力の電荷も、回収容量１１２に、回収できるようにしている。図８は、図７に示した本発明の別の実施例の動作を説明するためのタイミング図である。フレームのはじめに回収クロック（ＣＯＭ用）１０５Ｂが活性化し、回収スイッチ４（１１９）がオンし、ＣＯＭＭＯＮ電極（ＣＯＭ出力Ｓｉｇ）の電荷の回収を行う。回収スイッチ４（１１９）がオンのとき、ＣＯＭバッファ１１８の出力はＨＩ−Ｚとされる。回収スイッチ４（１１９）がオフすると、ＣＯＭ出力ＳｉｇはＣＯＭバッファ１１８によって駆動される。
【００５４】
上記各本実施例によれば、データの変化及び極性に応じ、回収・非回収を判断することで、より効率の高い回収動作を行い、低電力化を実現する。本実施例による電化回収は、待機モード等における、８色モードの際に行って好適とされる。
【００５５】
回収制御回路１０９では、前ラインデータと現ラインデータの変化を検出するにあたり、ＲＧＢデータの所定の上位ビットで判断する。上位ビットはＭＳＢ（Ｍｏｓｔ  Ｓｉｇｎｉｆｉｃａｎｔ  Ｂｉｔ）側から複数ビットであってもよく、あるいはＭＳＢ１ビットであってもよい。
【００５６】
また、上記実施例では、ソースラインから回収容量１１２に回収した電荷は、ソースラインに再利用する例に即して説明したが、本発明はかかる構成にのみ制限されるものでなく、回収容量１１２の蓄積電荷を、他の回路に再利用するようにしてもよいことは勿論である。
【００５７】
なお、上記実施例では、ＲＧＢの８色表示モードについて説明したが、カラー表示でない表示装置について本発明を適用できることは勿論である。
【００５８】
以上、本発明を上記実施例に即して説明したが、本発明は上記実施例の構成にのみ制限されるものでなく、本発明の範囲内で当業者であればなし得るであろう各種変形、修正を含むことは勿論である。
【図面の簡単な説明】
【００５９】
【図１】本発明の一実施例の構成を示す図である。
【図２】本発明の一実施例の動作を説明するためのタイミング波形図である。
【図３】本発明の一実施例の動作を説明するためのタイミング波形図である。
【図４】（Ａ）、（Ｂ）は本発明と従来技術（特許文献１、２）を対比して説明するための図である。
【図５】（Ａ）、（Ｂ）は本発明と従来技術（特許文献３）を対比して説明するための図である。
【図６】（Ａ）、（Ｂ）は本発明と従来技術（特許文献３）を対比して説明するための図である。
【図７】本発明の他の実施例の構成を示す図である。
【図８】本発明の他の実施例の動作を説明するためのタイミング波形図である。
【図９】本発明の一実施例における回収制御回路の構成を示す図である。
【図１０】従来技術（特許文献１）の構成の一例を示す図である。
【図１１】従来技術（特許文献２）の構成の一例を示す図である。
【図１２】従来技術（特許文献３）の構成の一例を示す図である。
【図１３】従来技術（特許文献３）の動作を説明するためのタイミング波形図である。
【符号の説明】
【００６０】
１０１  前ラインデータラッチ
１０２  現ラインデータラッチ
１０３  前ライン極性信号ラッチ
１０４  極性信号
１０５  回収クロック
１０５Ｂ  ＣＯＭ用の回収クロック
１０６  スイッチ
１０７  デコーダ
１０８  ソースバッファ
１０９  回収制御回路
１１０  回収スイッチ
１１１  制御信号
１１２  回収容量
１１３、１２０  パッド
１１４、１１５、１１６  スイッチ
１１８  ＣＯＭバッファ
１１９  回収スイッチ
３１１、３１２  Ｄ／Ａコンバータ
４１１、４１２  高圧用スイッチ
４２１、４２２  低圧用スイッチ
４３１  高圧用回収容量
４３２  低圧用回収容量
４５１、４５２  前ラインデータラッチ
５５１、５５２  現ラインデータラッチ
５４１、５４２  切替制御部
【図１】
2008015038.tif 000003
【図２】
2008015038.tif 000004
【図３】
2008015038.tif 000005
【図４】
2008015038.tif 000006
【図５】
2008015038.tif 000007
【図６】
2008015038.tif 000008
【図７】
2008015038.tif 000009
【図８】
2008015038.tif 000010
【図９】
2008015038.tif 000011
【図１０】
2008015038.tif 000012
【図１１】
2008015038.tif 000013
【図１２】
2008015038.tif 000014
【図１３】
2008015038.tif 000015